(57)【要約】エネルギー効率及び花芽に対する作業性の向上と、生育環境の改善とを図ることが可能なイチゴ栽培装置及びイチゴ栽培方法を提供すること。イチゴ苗２を側方かつ下方に垂れ下げた状態で植込み可能な植込み部３を有する栽培ベッド１と、前記植込み部３から垂れ下がるイチゴ苗２の花芽２ａ又は葉２ｂの何れか一方を吊り上げた状態に保つための吊り上げ手段４とを具備し、前記植込み部３は、中空のベッド本体８の側壁９に設けられている。
2015198856.tif 000002
【特許請求の範囲】
【請求項１】
イチゴ苗を側方かつ下方に垂れ下げた状態で植込み可能な植込み部を有する栽培ベッドと、  前記植込み部から垂れ下がるイチゴ苗の花芽又は葉の何れか一方を吊り上げた状態に保つための吊り上げ手段とを具備することを特徴とするイチゴ栽培装置。
【請求項２】
前記植込み部は、中空のベッド本体の側壁に設けられている請求項１に記載のイチゴ栽培装置。
【請求項３】
栽培ベッドの植込み部に対して側方かつ下方に垂れ下がり可能に植え込まれたイチゴ苗の花芽又は葉の何れか一方を吊り上げて花芽と葉とを離間した状態とすることを特徴とするイチゴ栽培方法。  
【発明の詳細な説明】
【技術分野】
【０００１】
本発明は、イチゴを栽培するためのイチゴ栽培装置及びイチゴ栽培方法に関する。
【背景技術】
【０００２】
近年、植物工場でのイチゴの栽培が実現化され、その栽培についてのさらなる改善が求められている。
【発明の概要】
【発明が解決しようとする課題】
【０００３】
具体的には、人の手による受粉作業や収穫作業の際、イチゴ苗の葉をかき分けて花芽を取り出す必要があり、作業性が悪いという問題がある。また、花芽が栽培ベッド等に接触すると、衛生面や生育面でイチゴが悪影響を受ける恐れもある。  【０００４】
本発明は上述の事柄に留意してなされたもので、その目的は、花芽に対する作業性の向上と、生育環境の改善とを図ることが可能なイチゴ栽培装置及びイチゴ栽培方法を提供することにある。
【課題を解決するための手段】
【０００５】
上記目的を達成するために、本発明に係るイチゴ栽培装置は、イチゴ苗を側方かつ下方に垂れ下げた状態で植込み可能な植込み部を有する栽培ベッドと、前記植込み部から垂れ下がるイチゴ苗の花芽又は葉の何れか一方を吊り上げた状態に保つための吊り上げ手段とを具備する（請求項１）。  【０００６】
上記イチゴ栽培装置において、前記植込み部は、中空のベッド本体の側壁に設けられていてもよい（請求項２）。  【０００７】
一方、上記目的を達成するために、本発明に係るイチゴ栽培方法は、栽培ベッドの植込み部に対して側方かつ下方に垂れ下がり可能に植え込まれたイチゴ苗の花芽又は葉の何れか一方を吊り上げて花芽と葉とを離間した状態とする（請求項３）。
【発明の効果】
【０００８】
本願発明では、花芽に対する作業性の向上と、生育環境の改善とを図ることが可能なイチゴ栽培装置及びイチゴ栽培方法が得られる。  【０００９】
すなわち、本願の各請求項に係る発明では、イチゴ苗が植込み部から側方かつ下方に垂れ下がった状態になるので、この植込み部を有する栽培ベッド自体に接触し難くなっている。ここで、仮にイチゴ苗が生育中に栽培ベッドに接触すると、不衛生であるばかりかイチゴ苗の生育不良を招来する恐れもある。しかし、本発明では、これらの不都合は生じ難く、むしろイチゴ苗の花芽を非接触状態で良好に生育させることができ、生育後は洗わなくても食べることができるほど衛生的に保つことが可能となる。  【００１０】
また、本願の各請求項に係る発明では、イチゴ苗の花芽と葉とを離間した状態に保つので、花芽に対する受粉作業や収穫作業の際に、イチゴ苗の葉をかき分けて花芽を取り出す必要がなく、作業性の向上を図ることができる。
【図面の簡単な説明】
【００１１】
【図１】本発明の一実施の形態に係るイチゴ栽培装置の構成を概略的に示す説明図である。
【図２】（Ａ）前記イチゴ栽培装置の要部の構成を概略的に示す縦断面図であり、（Ｂ）〜（Ｄ）は、各々要部の変形例の構成を概略的に示す縦断面図である。
【図３】前記イチゴ栽培装置の吊り上げ手段の変形例の構成を概略的に示す斜視図である。
【発明を実施するための形態】
【００１２】
本発明の実施の形態について図面を参照しながら以下に説明する。  
【００１３】
本実施の形態に係るイチゴ栽培方法は、図１に示すイチゴ栽培装置を用いて行えるものである。このイチゴ栽培装置は、例えば人工照明手段等が設けられた完全閉鎖型植物工場に備えられ、図１に示すように、水耕栽培用の栽培ベッド１を具備する。なお、図１には、栽培ベッド１を上下多段に積層した状態で保持するラックの一部と二つの栽培ベッド１を示してあり、ラックは作業者用のスペースを挟んで複数列並置される。  
【００１４】
栽培ベッド１は、イチゴ苗２を側方かつ下方に垂れ下げた状態で植込み可能な植込み部３を側面に有する。このように植込み部３から垂れ下がった状態で生育するイチゴ苗２は、栽培ベッド１に接触し難くなっている。仮にイチゴ苗２が生育中に栽培ベッド１に接触すると、不衛生であるばかりかイチゴ苗２の生育不良を招来する恐れもある。しかし、本実施形態では、これらの不都合は生じ難く、むしろイチゴ苗２の花芽２ａを非接触状態で良好に生育させることができ、生育後は洗わなくても食べることができるほど衛生的に保つことが可能となる。  
【００１５】
植込み部３は栽培ベッド１に複数設けられ、各植込み部３の正面側には、植込み部３から垂れ下がるイチゴ苗２の花芽２ａ又は葉２ｂの何れか一方を吊り上げた状態に保つための吊り上げ手段４が配されている。図１に示す例では、吊り上げ手段４はロープであり、イチゴ苗２の葉２ｂのみを吊り上げた状態に保ってある。このように、イチゴ苗２の花芽２ａと葉２ｂとを離間した状態とすることにより、花芽２ａに対する受粉作業や収穫作業の際に、イチゴ苗２の葉２ｂをかき分けて花芽２ａを取り出す必要がなく、作業性の向上を図ることができる。  
【００１６】
一方、植込み部３に植え込まれたイチゴ苗２の生育を促進するために、図１に示す例では、栽培ベッド１内にホース７を通し、このホース７から水または培養液を液滴あるいはスプレー等によりイチゴ苗２に供給するようにしている。  
【００１７】
詳述すると、栽培ベッド１は、中空のベッド本体８を有する。ベッド本体８は、例えば合成樹脂製で、両端が閉塞された長筒を横倒しにした形状に構成され、その短手方向の縦断面は上底よりも下底の短い等脚台形状を呈し、この等脚台形の脚を構成する側壁９はオーバーハング状（勾配が９０度以上）になっている。そして、ベッド本体８は、ホース７から供給されて内部に溜まった水等を適宜排出することができるように構成されている。  
【００１８】
植込み部３は、ベッド本体８の各側壁９の上下方向中央部に間隔をおいて横一列に複数設けられるのであり、各植込み部３は、培地１０と、培地１０を収容保持可能な容器１１とで構成されている。ここで、容器１１は、培地１０を漏れ落ちないように保持しつつ、容器１１内部からベッド本体８の外部へと向かう花芽２ａ、葉２ｂの進出と、ベッド本体８内へと向かう根２ｃの進出とを許容し、かつベッド本体８内の上部に配されたホース７からの水等を容器１１内に浸透させることができるように構成されており、具体的には複数の穴を適所に有する。なお、植込み部３は、側壁９に着脱自在に装着されるように構成されていてもよいし、側壁９に一体的に設けられていてもよい。また、培地１０としては、例えばロックウール、ウレタン、ヤシガラ、ピートモス等を用いることができる。  
【００１９】
なお、本発明は、上記の実施の形態に何ら限定されず、本発明の要旨を逸脱しない範囲において種々に変形して実施し得ることは勿論である。例えば、以下のような変形例を挙げることができる。  
【００２０】
本発明のイチゴ栽培装置は、完全閉鎖型植物工場に限らず、太陽光利用型植物工場等に配置されてもよい。  
【００２１】
図１に示す例では、植込み部３は側壁９に対して横一列に設けられているが、これに限らず、例えば千鳥状に設けられていてもよい。  
【００２２】
図１に示す例では、植込み部３は側壁９から側方（外方）に突出した状態で設けられているが（図２（Ａ）も参照）、図２（Ｂ）に示すように、植込み部３の前面に形成される育成面３ａが側壁９の外面と略面一となるように構成されていてもよい。また、図２（Ｃ）に示すように、側壁９をオーバーハング状ではなく略鉛直方向に起立するように構成してもよく、図２（Ｄ）に示すように、育成面３ａもオーバーハング状ではなく略鉛直方向に起立するように構成してもよい。何れにしても、植込み部３の育成面３ａから側方かつ下方に垂れ下がった状態のイチゴ苗２が栽培ベッド１に接しないように、側壁９及び育成面３ａの傾斜角度θ１、θ２（図２（Ａ）参照）や側壁９からの育成面３ａの突出量を調整してあればよい。  
【００２３】
図１に示す例では、吊り上げ手段４は、植込み部３からその正面側に離れた位置において、植込み部３と同程度の高さ位置に設けられているが、上述のように吊り上げ手段４によってイチゴ苗２の花芽２ａと葉２ｂとを離間させることができればよいのであって、この限りにおいて吊り上げ手段４は植込み部３よりも上方にあっても下方にあってもよい。  
【００２４】
図１に示す例では、吊り上げ手段４をロープとしているが、これに限らず、例えば吊り上げ手段４を針金等の他の線（紐）状体で構成したり、一連のネット、シートや棚で構成したりすることもできる。いずれの場合も、吊り上げ手段４を、ラックや栽培ベッド１等に取り付けてもよいし、ラックの周辺にある適宜の部位に取り付けてもよい。また、吊り上げ手段４が、単に葉２ｂを吊り上げるのではなく、吊り上げた葉２ｂをまとめるように構成されていてもよく、そのような吊り上げ手段４としては、例えば葉２ｂを吊り上げる部位がＣ字状やリング状に形成されたフックを用いることができる。  
【００２５】
さらに、吊り上げ手段４を線状体とする場合、図３に示すようにその線状体に適宜の間隔で複数の仕切り部材１２を設けてあってもよい。また、吊り上げ手段４を線状体以外で構成する場合にも同様に仕切り部材１２を設けることができる。そして、吊り上げ手段４が仕切り部材１２を有する場合、各植込み部３から延びる葉２ｂを吊り上げ手段４によって吊り上げる（さらには吊り上げた状態でまとめる）に際して、単数または複数の仕切り部材１２で仕切った状態とするようにしてもよいし、吊り上げ手段４によって葉２ｂに加えて花芽２ａをも吊り上げるようにして、花芽２ａと葉２ｂとを隔てるために仕切り部材１２を用いてもよい。いずれの場合にも、仕切り部材１２が光反射性の高いものとすれば、仕切り部材１２に向かった光の一部が葉２ｂに反射されるので、光照射性能や省エネルギー性の向上を期待することができる。  
【００２６】
図１に示す例では、散水等を行うために栽培ベッド１内にホース７を通しているが、例えば可撓性を有するホース７の代わりに可撓性を持たない金属製等のパイプを用いてもよく、ベッド本体８がホース７に相当する部位（水路）を内蔵するようにしてもよい。  
【００２７】
図１に示す例では、ベッド本体８はラックの各棚（梁）に載置されているが、これに限らず、例えばベッド本体８がラックの各棚（梁）や柱に吊り下げ保持されるように構成してもよい。また、図１に示す例では、ラックの柱が、上下多段に積層された栽培ベッド１をその幅方向両側から挟む位置に設けられているが、これに限らず、例えば栽培ベッド１をその長さ方向両側から挟む位置に設けられていてもよく、この場合にはラックの柱がイチゴ苗２に対する作業を邪魔する位置に存在しなくなるので、作業性の向上を図ることができる。  
【００２８】
なお、上記変形例どうしを適宜組み合わせてもよいことはいうまでもない。
【符号の説明】
【００２９】
１    栽培ベッド  ２    イチゴ苗  ２ａ  花芽  ２ｂ  葉  ２ｃ  根  ３    植込み部  ４    吊り上げ手段  ６    配線ダクトレール  ７    ホース  ８    ベッド本体  ９    側壁１０    培地１１    容器１２    仕切り部材  
【図１】
2015198856.tif 000003
【図２】
2015198856.tif 000004
【図３】
2015198856.tif 000005
【国際調査報告】
2015198856.tif 000006
2015198856.tif 000007
2015198856.tif 000008
2015198856.tif 000009